(57)【特許請求の範囲】
【請求項１】
天井に形成された点検用開口の辺縁に設けられる外枠と、前記点検用開口を閉鎖する蓋部の辺縁に設けられる内枠とを備えた天井点検口枠材において、
前記外枠の内周面と前記内枠の外周面のいずれか一方の面に、他方の面に向かって突出する軸部が設けられ、該軸部はその頂面に凹状または凸状の嵌合部が形成されたものであり、
前記外枠の内周面と前記内枠の外周面の他方の面には、溝部が形成され、この溝部は、その内側に前記軸部の頭部分が移動可能に装入されるものであり、また該溝部は、その内側へ前記軸部頭部分を装入するための切欠きを備え、且つ前記嵌合部と凹凸嵌合する嵌合相手部を、前記切欠きから離れた位置に有し、
前記嵌合部と前記嵌合相手部の少なくとも一方は、その凹凸嵌合面が接離する方向に変位可能で、且つこの凹凸嵌合面に向かって付勢される構成であり、
前記嵌合部と前記嵌合相手部がはまった状態で、前記軸部を中心に前記蓋部が回動開閉されるものであることを特徴とする天井点検口枠材。
【請求項２】
凸状の前記嵌合部或いは前記嵌合相手部が、紡錘状に突出したものである請求項１に記載の天井点検口枠材。
【請求項３】
前記軸部の外形が円柱状である請求項１または２に記載の天井点検口枠材。
【請求項４】
前記嵌合相手部が、前記軸部の頂面に対して接離する方向に変位可能で、且つ前記軸部の頂面に向かって付勢される構成である請求項１〜３のいずれかに記載の天井点検口枠材。
【請求項５】
前記溝部は嵌合相手用部材を備え、
該嵌合相手用部材は、前記溝部に固定される固定部分と、この固定部分に対して変位するように弾性変形する可動部分とを一体的に有し、
この可動部分には前記嵌合相手部が形成され、該可動部分が弾性変形しつつ該嵌合相手部と前記嵌合部が嵌合するものである請求項４に記載の天井点検口枠材。
【請求項６】
前記嵌合部が凹状であり、
前記嵌合相手部が凸状である請求項１〜５のいずれかに記載の天井点検口枠材。
【請求項７】
前記嵌合部が、前記軸部の頂面の中心に形成され、且つ円形であり、
前記嵌合相手部が、前記嵌合部に対応した円形である請求項１〜６のいずれかに記載の天井点検口枠材。
【発明の詳細な説明】
【０００１】
【発明の属する技術分野】
本発明は、天井に形成された点検用の開口に取付けられる天井点検口枠材に関するものである。
【０００２】
【従来の技術】
昨今の建築物における天井裏には様々な電気配線や換気ダクト等が配置されており、しばしばこれら電気配線等の点検をする必要が生じる。そこで予め天井に点検用の開口を設け、該開口から入り（或いは覗き）天井裏の作業を行うという方法が一般に採られている。そして通常時には上記点検用開口に蓋をして、天井面を同一平面としている。
【０００３】
上記点検用開口及び蓋には枠材が取付けられ、点検用開口の辺縁及び蓋の辺縁が損傷するのを防止している。
【０００４】
図９はこの天井点検口枠材を取り付けた天井を表す斜視図であり、（ａ）は蓋を閉じた様子、（ｂ）は蓋を開けた様子、（ｃ）は蓋を取り外した様子を表している。図１０は図９（ａ）に示すＡ−Ａ線断面に相当する拡大断面図であり、図９（ｃ）のＡ′−Ａ′線断面に蓋が嵌められた状態に相当する。
【０００５】
天井板６４には正方形の点検用開口が形成されており、この点検用開口の辺縁には外枠７０が設けられている。また正方形の蓋部６３の辺縁には内枠８０が設けられている。尚以下、内枠８０を取り付けた蓋部６３を、蓋体８９と称することがある。
【０００６】
上記外枠７０は４本の外枠辺部材７１，７２，７３，７４が方形状に枠組みされたものであり、この外枠辺部材のうちの向かい合う１組の外枠辺部材７１，７３の内周面７１ａ、７３ａには、１対の軸部７５が対向して設けられている（図９（ｃ））。上記内枠８０も４本の内枠辺部材８１，８２，８３，８４が方形状に枠組みされたものであり、上記外枠辺部材７１，７３に対向する内枠辺部材８１，８３の外周面８１ａ，８３ａにはその長手方向に連続した溝部８５が形成されており、この溝部８５内に上記軸部７５が装入される様になっている（図９（ｂ），図１０）。
【０００７】
上記軸部７５と溝部８５の部分を更に詳細に説明すると、図１０に示す様に、上記軸部７５は円柱状の軸本体７５ｂの一方端にその直径よりも大きい円盤状の頭部７５ａが接続された構造であり、その縦断面はＴ字状になっている。またこの軸本体７５ｂの他方端にはその直径より小さい径の円柱状の尾部７５ｃが接続されており、該尾部７５ｃを外枠辺部材７１（７３）の挿通孔７１ｂに挿入し、尾部７５ｃの後側７５ｃ1からかしめることによって、軸部７５を外枠辺部材７１（７３）に固定している。この固定位置は外枠辺部材７１（７３）の一方端からやや中央寄りに寄った位置である（図９（ｃ））。尚図１０中、７６はワッシャーである。
【０００８】
上記溝部８５は断面Ｃ字状で、即ち溝底面８５ｂと上下の溝側壁８５ａ，８５ｄ、及びこの溝側壁８５ａ，８５ｄから溝内側に張り出した溝鍔部８５ｃ，８５ｅによって溝内空間を囲んだ形状となっている。該溝部８５は上記の如く内枠辺部材８１（８３）の長手方向に連続して形成されたものであるが、その一部に図１１［内枠辺部材８１（８３）の溝部８５の切欠き部分を示す断面図］に示す様に切欠き８７が形成されている。この切欠き８７はちょうど上側の溝側壁８５ａ及び溝鍔部８５ｃが取り除かれた状態となっており、内枠辺部材８１（８３）の長手方向における上記軸部７５対向位置を離れてやや中央寄りに設けられている。
【０００９】
点検用開口に蓋が閉められているときには（図９（ａ））、この溝部８５の溝内空間に上記軸部７５の頭部７５ａが装入された状態となっており、この頭部７５ａが溝鍔部８５ｃ，８５ｅに引っ掛かり、外枠７０と内枠８０を連結固定している（図１０）。加えて内枠８０の内枠辺部材８２に設けられた長方形板状の留め金８６が、外枠７０の外枠辺部材７２にひっかかって止められている（図９（ａ），（ｂ））。
【００１０】
上記留め金８６は内枠８０下面に露出した操作部８６ａと繋がっており、蓋体８９を開ける際には、この操作部８６ａを回して留め金８６を回転させ、外枠辺部材７２との引っかかりを解除する。次に上記軸部７５を回転軸として蓋体８９を回動して開ける（図９（ｂ））。
【００１１】
図９（ｂ）に示すように蓋体８９を開けた状態で点検作業を行う場合もあるが、更に蓋体８９を取り外す場合には、上記内枠８０の溝部８５に沿って上記軸部７５をスライドさせる様にして蓋体８９をずらし、溝部８５に設けられた切欠き８７に軸部７５を位置させて、溝部内空間から軸部７５を外して外枠７０から内枠８０（蓋体８９）を取り外す。
【００１２】
蓋体８９を閉める際には、上述とは逆に、軸部７５を切欠き８７から溝部８５内に装入し、スライドさせて所定位置に来たときに蓋体８９を回動して閉め、留め金８６を止める。
【００１３】
【発明が解決しようとする課題】
従来の天井点検口枠材は以上の様に構成されているが、点検用開口に蓋体８９を閉めた状態のときにガタツクという問題がある。その原因は従来の軸部７５と溝部８５の間に隙間があるからであると考えられるが、仮にこの隙間を無くし軸部７５と溝部８５をピッタリと嵌合させる様にすると、ガタツキは解消するものの、軸部７５と溝部８５をスライドさせることが困難となり、蓋体８９を着脱することができない。
【００１４】
そこで本発明は、点検用開口への蓋体の着脱をスムーズに行うことができ、且つ蓋を閉めた状態のときにガタツキのない天井点検口枠材を提供することを目的とする。
【００１５】
【課題を解決するための手段】
本発明に係る天井点検口枠材は、天井に形成された点検用開口の辺縁に設けられる外枠と、前記点検用開口を閉鎖する蓋部の辺縁に設けられる内枠とを備えた天井点検口枠材において、前記外枠の内周面と前記内枠の外周面のいずれか一方の面に、他方の面に向かって突出する軸部が設けられ、該軸部が、その頂面に凹状または凸状の嵌合部が形成されたものであり、前記外枠の内周面と前記内枠の外周面の他方の面に、溝部が形成され、この溝部が、その内側に前記軸部の頭部分が移動可能に装入されるものであり、また該溝部が、その内側へ前記軸部頭部分を装入するための切欠きを備え、且つ前記嵌合部と凹凸嵌合する嵌合相手部を、前記切欠きから離れた位置に有し、前記嵌合部と前記嵌合相手部の少なくとも一方が、その凹凸嵌合面が接離する方向（以下、離接方向と称することがある）に変位可能で、且つこの凹凸嵌合面に向かって（以下、嵌合面方向と称することがある）付勢される構成であり、前記嵌合部と前記嵌合相手部がはまった状態で、前記軸部を中心に前記蓋部が回動開閉されるものであることを要旨とする。
【００１６】
前記溝部内に前記軸部をスライド（移動）させる際には、これらの間に隙間があるから良好にスライドさせることができる。そして上記軸部が上記嵌合相手部の位置に来たときには、この嵌合相手部と前記嵌合部の少なくとも一方が上記離接方向に変位することによりこれら嵌合相手部と嵌合部が凹凸嵌合し、またこの嵌合相手部と嵌合部の少なくとも一方が上記嵌合面方向に付勢される構成であるから、上記凹凸嵌合が安定して維持され、従ってガタツキが防止される。
【００１７】
尚前記点検用開口や蓋部としては、平行して対向する辺縁を有するものであればいずれの形状であっても良く（例えば四角形，六角形等）、代表的には正方形が挙げられる。
【００１８】
また本発明においては、凸状の前記嵌合部或いは前記嵌合相手部が、紡錘状に突出したものであることが好ましい。
【００１９】
この様に紡錘状であれば、上記嵌合部と上記嵌合相手部が凹凸嵌合するときやこの嵌合が解かれるときに、抵抗が少なく円滑に嵌合・解除が行われる。
【００２０】
加えて本発明においては、前記軸部の外形が円柱状であることが好ましい。
【００２１】
従来の上記軸部７５の様にＴ字状の頭を有するものの場合は、軸部７５の表面と溝部８５内の表面が擦れ合う面積が大きくなる為に、摺動抵抗が高くなってスライドさせ難いという問題があるが、上記の如くＴ字の頭を無くして真っ直ぐの円柱状とすることにより、接触面積が低減され、スムーズに軸部を溝部内でスライドさせることができる。
【００２２】
更に本発明においては、前記嵌合相手部が、前記軸部の頂面に対して接離する方向に変位可能で、且つ前記軸部の頂面に向かって付勢される構成であることが好ましい。尚「軸部の頂面に対して接離する方向」は上記離接方向に相当し、「軸部の頂面に向かう方向」は上記嵌合面方向に相当する。
【００２３】
仮に上記離接方向に変位可能な構成が上記軸部の嵌合部の方であると、この軸部の嵌合部が上記溝部内を移動するときに、その移動が不安定なものになる懸念がある。この点、上述の様に溝部に設けられた嵌合相手部の方を、離接方向に変位可能で嵌合方向に付勢する構成とし、軸部としてはこの様な変位や付勢をしない構成としたものの場合は、軸部の溝部内移動が円滑に行われる。
【００２４】
加えて本発明においては、前記溝部が嵌合相手用部材を備え、該嵌合相手用部材が、前記溝部に固定される固定部分と、この固定部分に対して変位するように弾性変形する可動部分とを一体的に有し、この可動部分には前記嵌合相手部が形成され、該可動部分が弾性変形しつつ該嵌合相手部と前記嵌合部が嵌合するものであることが好ましい。
【００２５】
この様に嵌合相手部として別部材を溝部に取り付ける構成としても良く、この構成によれば、予め固定部分と可動部分を形成しておいた嵌合相手用部材を溝部内に取付けるだけで、溝部内の適所に変位可能な嵌合相手部を簡単に設けることができる。しかもこの嵌合相手用部材自身の弾性変形による弾発力で、上記嵌合相手部の付勢をすることができる。尚この別部材としての嵌合相手用部材は、上記溝部の切欠きから離れた位置に取り付けられる。
【００２６】
また本発明においては、前記嵌合部が凹状であり、前記嵌合相手部が凸状であることが好ましい。
【００２７】
軸部は溝部内を移動するものであるので、該軸部に設けられる嵌合部としては張り出している凸状よりは凹状である方が、摺動抵抗が低くなるからである。
【００２８】
更に本発明においては、前記嵌合部が、前記軸部の頂面の中心に形成され、且つ円形であり、前記嵌合相手部が、前記嵌合部に対応した円形であることが好ましい。
【００２９】
蓋部を回動開閉させる際には上記軸部を回転軸として回転が行われるが、上記構成によれば、回転が円滑になされる。
【００３０】
【発明の実施の形態】
以下に本発明の一実施形態に係る天井点検口枠材について説明する。図１は該天井点検口枠材を取り付けた天井を表す斜視図であり、（ａ）は蓋を閉じた様子、（ｂ）は蓋を開けた様子、（ｃ）は蓋を取り外した様子を表している。図２は図１（ａ）に示すＢ−Ｂ線断面に相当する断面図であり、図１（ｃ）のＢ′−Ｂ′線断面に蓋が嵌められた状態に相当する。また図３は図２に示すＣ部分の拡大断面図である。尚図９，１０と同じ構成部分については同一の符号を付して重複説明を避ける。
【００３１】
天井に形成された正方形の点検用開口の辺縁には外枠１０が設けられている。該外枠１０は４本の外枠辺部材１１，１２，１３，１４が方形状に枠組みされたものであり、この外枠辺部材のうちの向かい合う１組の外枠辺部材１１，１３の内周面１１ａ，１３ａに、それぞれ軸部１５が対向して設けられている。該軸部１５の位置は外枠辺部材１１，１３の長手方向端から中央方向にやや寄った箇所であり、内枠１０の外周面に向かって突出している（図１（ｃ），図２）。
【００３２】
該軸部１５は円柱状の軸本体１５ｂの後側端にこれより直径の小さい尾部１５ｃが連なった全体構造をしており（図４（ａ）：軸部１５の側面図）、上記軸本体１５ｂの頭側面、即ち軸部１５の頂面の中央には、丸く凹んだ嵌合部１５ａが形成されている（図４の（ｂ）：軸部１５の頂面側からの斜視図）。また上記尾部１５ｃの後側面には窪み１５ｃ1が形成されており、上記尾部１５ｃを外枠辺部材１３（１１）の挿通孔１３ｂに挿入し、尾部１５ｃの後面窪み１５ｃ1からかしめることによって、軸部１５を外枠辺部材１３（１１）に固定している（図３）。尚図３中、１５ｃ2はかしめ部であり、上記窪み１５ｃ1の部分が変形した箇所である。
【００３３】
他方、正方形の蓋部６３の辺縁には内枠２０が設けられている。尚以下、この内枠２０を取り付けた蓋部６３を蓋体２９と称することがある。
【００３４】
該内枠２０も４本の内枠辺部材２１，２２，２３，２４が方形状に枠組みされたものであり（図１（ｂ））、上記外枠辺部材１１，１３に対向する内枠辺部材２１，２３の外周面２１ａ，２３ａにはその長手方向に連続した溝部２５が形成されている。この溝部２５は上記従来例と同様に断面Ｃ字状で、即ち溝底面２５ｂと上下の溝側壁２５ａ，２５ｄ、及びこの溝側壁２５ａ，２５ｄから溝内側に張り出した溝鍔部２５ｃ，２５ｅによって溝内空間を囲んだ形状となっている（図３）。そして溝部２５内には、蓋体２９を閉めたときに上記軸部１５と対向する位置に嵌合相手用部材３１が設けられている。
【００３５】
該嵌合相手用部材３１は図５［嵌合相手用部材の斜視図］に示すように、相手用部材本体３１ｆに３本の脚部（下脚部３１ｂ，中央脚部３１ｃ，上脚部３１ｄ）が連なった構造であり、この中央脚部３１ｃと上下脚部３１ｂ，３１ｄとが互いに開閉する方向に弾性（撓み）変形する。そして中央脚部３１ｃの先端からは反外枠側に向かって斜め方向に垂れた舌片３１ｃ1が張り出している。上記相手用部材本体３１ｆの中央には、紡錘状に丸く突出した嵌合相手部３１ａが形成されており、この嵌合相手部３１ａは上記嵌合部１５ａとちょうど凹凸嵌合できる形状である。また上記相手用部材本体３１ｆの頭端部分には外枠方向に突出したストッパー３１ｅが形成されている。尚この嵌合相手用部材３１は単一の板材を曲げ加工等して製造でき、簡単である。
【００３６】
該嵌合相手用部材３１は図６［嵌合相手用部材３１を溝部２５に設置した様子を表す斜視図］に示すように、溝部２５内に装入されており、溝部２５に形成された孔部２５ｆに、上記中央脚部３１ｃの舌片３１ｃ1を嵌め込みつつ、中央脚部３１ｃの先端部３１ｃ2が孔部２５ｆの縁部分２５ｆ1に当接している。一方下脚部３１ｂの先端付近と上脚部３１ｄの先端付近が溝鍔部２５ｅ，２５ｃの内壁に当接している。該嵌合相手用部材３１を溝部２５内に装着する際には、上記中央脚部３１ｃと上・下脚部３１ｄ，３１ｂとが閉じ方向に変形した状態で溝部２５内側、即ち溝鍔部２５ｅ，２５ｃと溝底面２５ｂとの間に差し込まれるが、その弾発力（開け方向への力）によって上記当接箇所において付勢され、嵌合相手用部材３１が溝部２５内に固定される。尚溝部２５内への嵌合相手用部材３１の取付けは、上述の様に脚部３１ｂ，３１ｃ，３１ｄを撓ませて装入するという様に簡単に行うことができる。また嵌合相手用部材３１の舌片３１ｃ1の溝部２５孔部縁部分２５ｆ1との当接箇所、及び下脚部３１ｂと上脚部３１ｄの溝鍔部２５ｃ，２５ｅ内壁との当接箇所が固定部分となり、その他の部分が可動部分となる。
【００３７】
溝部２５は上記の如く内枠辺部材２３（２１）の長手方向に連続して形成されたものであるが、その一部に図６，図７［内枠辺部材の溝部２５の切欠き部分を示す断面図］に示す様に切欠き２７が形成されている。この切欠き２７はちょうど上側の溝側壁２５ａ及び溝鍔部２５ｃが取り除かれた状態となっており、上記嵌合相手用部材３１の設置位置からやや離れて内枠辺部材２３（２１）長手方向の中央寄りに位置している。
【００３８】
次に点検用開口に設けた外枠に、蓋体２９を取り付け閉める操作について説明する。
【００３９】
図８は、軸部１５を溝部２５内の所定位置に設置する様子を表す断面図であり、図２に示すＤ−Ｄ線断面に相当する。
【００４０】
上記切欠き２７から軸部１５の頭部分を内枠２０の溝部２５内に装入し、軸部１５を溝部２５内で嵌合相手用部材３１に向かってスライドさせる（図８（ａ）、矢印Ｅ）。このとき、軸部１５の先端及び側面と溝部２５内壁の間には十分な隙間があるから、摺動抵抗を殆ど受けずにスライドさせることができる。また外枠辺部材１１，１３の軸部１５は両者ともその頭部分を溝部２５内に装入した状態であり、ちょうどこれら軸部１５が一対となって蓋体２９を挟む様にしているから（図２）、軸部１５の頭部分がＴ字状に広がっていなくても、軸部１５が溝部２５内から抜け落ちることがない。
【００４１】
そして軸部１５が嵌合相手用部材３１の位置に来ると、脚部３１ｂ，３１ｃ，３１ｄの開脚幅が狭くなるように弾性変形し、嵌合部１５ａと嵌合相手部３１ａが凹凸嵌合する（図８（ｂ））。嵌合相手用部材３１には上述の様に脚部３１ｂ，３１ｃ，３１ｄの開く方向（矢印Ｆ）の弾性力が作用しており、この嵌合相手部３１ａは軸部１５に向かってせり上がっているが、嵌合相手部３１ａは紡錘状の凸部であるから、この凸部が軸部１５の縁部分に引っ掛からず、少しの力を加えるだけで相手用部材本体３１ｆ（嵌合相手部３１ａ）が引っ込むように変形し、凹凸嵌合位置で少し復元して嵌合する。そしてこの凹凸嵌合中は嵌合相手用部材３１の弾性力によって、嵌合相手部３１ａが軸部１５の頂面方向（嵌合部１５ａ方向：矢印Ｇ方向）に付勢されている。尚この嵌合時の手応えにより、所定位置の確認が可能である。
【００４２】
また嵌合相手用部材３１のストッパー３１ｅによって軸部１５の移動が阻止され、それ以上矢印Ｅ方向に進まない。
【００４３】
上述の如く嵌合相手部３１ａの嵌合部１５ａ方向（矢印Ｇ方向）への付勢力により、嵌合相手部３１ａと嵌合部１５ａの嵌合が安定して保持される。そしてこの嵌合により、蓋体２９が軸部１５の溝部２５内スライド方向（外枠辺部材１２，１４方向）へガタツクことが防がれる。また内枠辺部材２１，２３に取付けられた嵌合相手用部材３１が互いに外方向に向かって付勢され、外枠辺部材１１，１３の軸部１５を押圧しているから、この外枠辺部材１１，１３方向へのガタツキも少なくなる（図１（ｂ），図２，図８（ｂ））。
【００４４】
蓋体２９を取り付けた後は、上記軸部１５を回転軸として蓋体２９を回動して閉める。このとき軸部１５が円柱状であり、また嵌合部１５ａ及び嵌合相手部３１ａが丸形の凹凸であるから、これら嵌合部１５ａ，嵌合相手部３１ａを中心とした蓋部２９の回動が円滑に行われる。次いで操作部８６ａを回して留め金８６を回転させて蓋体２９を止める（図１（ａ））。
【００４５】
他方、蓋体２９を開けて取り外す際には、上述の操作を逆に行う。尚上記嵌合部１５ａと嵌合相手部３１ａの凹凸嵌合を解除するときも、嵌合相手部３１ａが紡錘状であるから、少しの力を加えるだけでひっかからずに嵌合部１５ａの凹部から抜き出すことができる。
【００４６】
以上の様に本発明に係る天井点検口枠材に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００４７】
例えば上記例では、外枠１０に軸部１５を設け、内枠２０に溝部２５を設けたものを示したが、外枠に溝部を設け、内枠に軸部を設けたものであっても構わない。また軸部に設ける嵌合部を凸状とし、溝部に設ける嵌合相手部を凹状としても良い。更に軸部が、上記離接方向への変位可能で、嵌合面方向へ付勢する構成であっても良い。
【００４８】
【発明の効果】
本発明に係る天井点検口枠材によれば、点検用開口への蓋体の着脱を円滑に行え、且つ蓋を閉めた状態のときにガタツキを殆ど生じない。
【図面の簡単な説明】
【図１】本発明の一実施形態に係る天井点検口枠材を取り付けた天井を表す斜視図で、（ａ）は蓋を閉じた様子、（ｂ）は蓋を開けた様子、（ｃ）は蓋を取り外した様子。
【図２】図１（ａ）に示すＢ−Ｂ線断面に相当する断面図。
【図３】図２に示すＣ部分の拡大断面図。
【図４】本発明の一実施形態に係る天井点検口枠材の軸部を示す図。
【図５】本発明の一実施形態に係る天井点検口枠材の嵌合相手用部材の斜視図。
【図６】嵌合相手用部材を溝部に配置した様子を表す斜視図。
【図７】内枠の溝部の切欠き部分を示す断面図。
【図８】軸部を溝部内の所定位置に設置する様子を表す断面図。
【図９】従来の天井点検口枠材を取り付けた天井を表す斜視図で、（ａ）は蓋を閉じた様子、（ｂ）は蓋を開けた様子、（ｃ）は蓋を取り外した様子。
【図１０】図９（ａ）に示すＡ−Ａ線断面に相当する拡大断面図。
【図１１】従来の内枠の溝部の切欠き部分を示す断面図。
【符号の説明】
１０  外枠
１１，１２，１３，１４  外枠辺部材
１１ａ，１３ａ  内周面
１３ｂ  挿通孔
１５  軸部
１５ａ  嵌合部
１５ｂ  軸本体
１５ｃ  尾部
１５ｃ1  窪み
１５ｃ2  かしめ部
２０  内枠
２１，２２，２３，２４  内枠辺部材
２１ａ，２３ａ  外周面
２５  溝部
２５ａ，２５ｄ  溝側壁
２５ｂ  溝底面
２５ｃ，２５ｅ  溝鍔部
２５ｆ  孔部
２５ｆ1  縁部分
２９  蓋体
３１  嵌合相手用部材
３１ａ  嵌合相手部
３１ｂ  下脚部
３１ｃ  中央脚部
３１ｃ1  舌片
３１ｃ2  先端部
３１ｄ  上脚部
３１ｅ  ストッパー
３１ｆ  相手用部材本体
６３  蓋部
６４  天井板
７６  ワッシャー
【図１】
0003720699.tif 000002
【図２】
0003720699.tif 000003
【図３】
0003720699.tif 000004
【図４】
0003720699.tif 000005
【図５】
0003720699.tif 000006
【図６】
0003720699.tif 000007
【図７】
0003720699.tif 000008
【図８】
0003720699.tif 000009
【図９】
0003720699.tif 000010
【図１０】
0003720699.tif 000011
【図１１】
0003720699.tif 000012